(57)【要約】【課題】取付が簡単で且つ優れた接続効果を有するスイッチ，ソケット，コンセントなどの電気器具における接続端子に設ける電気器具のワイヤ取付構造を提供する。【解決手段】絶縁ブロック１１と嵌入ブロック１２を有するワイヤ取付部材１０であって、絶縁ブロック１１は前側に電気器具２０における金属導電性の接続端子２１を挿入できる端子挿入孔１１１が形成されると共に、相隣する端子挿入孔１１１との間に嵌入孔１１２が形成され、端子挿入孔１１１及び嵌入孔１１２との間にワイヤ３０の金属導線３１を接続するための端子挿入孔１１１及び嵌入孔１１２と連通するワイヤ嵌入孔１１３が形成され、嵌入ブロック１２は前記嵌入孔１１２に挿入できると共に、その側辺にワイヤ嵌入孔１１３に突出する弾性当接片１２１が設けられた構成とした。【選択図】        図１
2004164990.tif 000002
【特許請求の範囲】
【請求項１】
絶縁ブロック１１と嵌入ブロック１２を有するワイヤ取付部材１０であって、
絶縁ブロック１１は前側に電気器具２０における金属導電性の接続端子２１を挿入できる端子挿入孔１１１が形成されると共に、相隣する端子挿入孔１１１との間に嵌入孔１１２が形成され、端子挿入孔１１１及び嵌入孔１１２との間にワイヤ３０の金属導線３１を接続するための端子挿入孔１１１及び嵌入孔１１２と連通するワイヤ嵌入孔１１３が形成され、
嵌入ブロック１２は前記嵌入孔１１２に挿入できると共に、その側辺にワイヤ嵌入孔１１３に突出する弾性当接片１２１が設けられる、
ことを特徴とする電気器具のワイヤ取付構造。
【請求項２】
絶縁ブロック１１は電気器具２０の絶縁カバー２３と一体になると共に、各端子挿入孔１１１の側辺に該端子挿入孔１１１と平行する二つのワイヤ嵌入孔１１３が形成されることを特徴とする請求項１に記載の電気器具のワイヤ取付構造。
【請求項３】
嵌入ブロック１２はその側辺付近に長穴１２２が形成されると共に、側辺に弾性を有する弾性当接片１２１が設けられ、前端の底部に当接凸部１２３が設けられ、絶縁ブロック１１における嵌入孔１１２は嵌入ブロック１２が収容可能な形状であると共に、その裏側の底部に当接凸部１２３が当接する当接縁１１４が設けられることを特徴とする請求項１又は２に記載の電気器具のワイヤ取付構造。
【発明の詳細な説明】
【０００１】
【発明の属する技術分野】
本発明は、特に、取付けが簡単で且つ優れた接続効果を有する、スイッチ，ソケット，コンセントなどの電気器具における接続端子に取り付ける電気器具のワイヤ取付構造に関するものである。
【０００２】
【従来の技術】
スイッチ，ソケット及びコンセントなどの電気器具は電力供給における電路の開閉又は電気製品の制御に関するものである。例えばスイッチの場合は、スイッチ本体から少なくとも２本の金属導電性の接続端子が外部へ延出されていると共に、スイッチ本体に接続端子同士を介して導電するか否かのスイッチボタンを設けている。ソケットの場合は、ソケット本体の内部に少なくとも２枚の金属導電性の接続端子を有する導電プレートが設けられると共に、金属導電性の接続端子がソケット本体の裏面から外部へ延出して、ワイヤと接続され、又、ソケットの正面には電気製品のプラグを設けるための挿入孔が形成されている。
【０００３】
上記スイッチあるいはソケットなどの電気器具における金属導電性の接続端子とワイヤとの接続方式には、図６に示すように、溶接によってワイヤ３０の金属導線３１が電気器具２０の接続端子２１と固定する方式、又は、図７に示すように、ねじ２２の螺合によってワイヤ３０の金属導線３１を電気器具２０の接続端子２１に結合する方式がある。
【０００４】
【発明が解決しようとする課題】
しかしながら、上記溶接又螺合による結合方式は、ワイヤを電気器具の金属導電性の接続端子に固定する際、他の工具が必要であるので、非常に不便であり、且つ作業時間も大幅に増えてしまう。
そこで、出願されたのが本発明であって、取付けが簡単で且つ優れた接続効果を有する、スイッチ，ソケット及びコンセントなどの電気器具における接続端子に設ける電気器具のワイヤ取付構造を提供することを目的としている。
【０００５】
【課題を解決するための手段】
本願の請求項１の発明は、絶縁ブロック１１と嵌入ブロック１２を有するワイヤ取付部材１０であって、絶縁ブロック１１は前側に電気器具２０における金属導電性の接続端子２１を挿入できる端子挿入孔１１１が形成されると共に、相隣する端子挿入孔１１１との間に嵌入孔１１２が形成され、端子挿入孔１１１及び嵌入孔１１２との間にワイヤ３０の金属導線３１を接続するための端子挿入孔１１１及び嵌入孔１１２と連通するワイヤ嵌入孔１１３が形成され、嵌入ブロック１２は前記嵌入孔１１２に挿入できると共に、その側辺にワイヤ嵌入孔１１３に突出する弾性当接片２１が設けられることを特徴とする。
本願の請求項２の発明は、請求項１に記載の電気器具のワイヤ取付構造において、絶縁ブロック１１は電気器具２０の絶縁カバー２３と一体になると共に、各端子挿入孔１１１の側辺に該端子挿入孔１１１と平行する二つのワイヤ嵌入孔１１３が形成されることを特徴とする。
本願の請求項３の発明は、請求項１又は２に記載の電気器具のワイヤ取付構造において、嵌入ブロック１２はその側辺付近に長穴１２２が形成されると共に、側辺に弾性を有する弾性当接片１２１が設けられ、前端の底部に当接凸部１２３が設けられ、絶縁ブロック１１における嵌入孔１１２は嵌入ブロック１２が収容可能な形状であると共に、その裏側の底部に当接凸部１２３が当接する当接縁１１４が設けられることを特徴とする。
【０００６】
【作用】
本発明は上記の課題を解決するものであり、嵌入ブロックを絶縁ブロックにおける嵌入孔に挿入すると共に、電気器具における金属導電性の接続端子を絶縁ブロックにおける端子挿入孔に挿入して、ワイヤの金属導線を嵌入ブロック及び金属導電性の接続端子によって挟持することができるので、作業時に、他の工具を使用せずに、ワイヤと電気器具とを電気接続でき、且つ優れた接続効果も得ることができる。
【０００７】
【発明の実施の形態】
以下、添付図面を参照して本発明の好適な実施の形態を詳細に説明する。
図１は本発明に係わる電気器具のワイヤ取付構造の分解斜視図であり、図２は本発明に係わる電気器具のワイヤ取付構造の嵌入ブロックが電気器具に嵌入前の状態を示す一部断面図であり、図３は本発明に係わる電気器具のワイヤ取付構造の嵌入ブロックを電気器具に嵌入した状態を示す一部拡大断面図であり、図４は本発明に係わる電気器具のワイヤ取付構造を二つの電気器具に使用する状態を示す一部拡大断面図であり、図５は本発明に係わる電気器具のワイヤ取付構造の絶縁ブロックが電気器具と一体になる状態を示す一部拡大断面図である。
【０００８】
本発明のワイヤ取付部材１０は、ワイヤ３０とスイッチ，ソケット，コンセントなどの電気器具２０の金属導電性の接続端子２１とを固定するためものである。図１及び図２に示すように、本発明は、絶縁ブロック１１と嵌入ブロック１２とを有し、絶縁ブロック１１の前側にスイッチ，ソケット，コンセントなどの電気器具２０における金属導電性の接続端子２１を挿入できる端子挿入孔１１１が形成されると共に、相隣接する端子挿入孔１１１との間に前記嵌入ブロック１２の嵌入孔１１２が形成され、端子挿入孔１１１及び嵌入孔１１２との間にワイヤ３０の金属導線３１を接続するための端子挿入孔１１１及び嵌入孔１１２と連通するワイヤ嵌入孔１１３が形成されている。
嵌入ブロック１２は前記嵌入孔１１２に挿入できると共に、その側辺にワイヤ嵌入孔１１３に突出する弾性当接片１２１が設けられている。
【０００９】
図４に示すように、絶縁ブロック１１における各端子挿入孔１１１の側辺に該端子挿入孔１１１と平行する２つのワイヤ嵌入孔１１３が形成され、これにより、複数の電気器具２０はワイヤによって直列することができる。
【００１０】
前記嵌入ブロック１２はその側辺付近に長穴１２２が形成されると共に、側辺に弾性を有する弾性当接片１２１が設けられる。又、嵌入ブロック１２は一字形、十字形、Ｔ字形、梯形又はその他の形状を有するブロックにすることができ、その前端の底部に当接凸部１２３が設けられ、絶縁ブロック１１における嵌入孔１１２は嵌入ブロック１２を収容できる形状になると共に、その裏側の底部に当接凸部１２３と嵌入できる当接縁１１４が設けられることにより、嵌入ブロック１２は絶縁ブロック１１から片方向へ取出すことができる。
【００１１】
図２及び図３に示すように、本発明を使用する際、先ずワイヤ３０の金属導線３１を絶縁ブロック１１におけるワイヤ嵌入孔１１３に挿入した後、嵌入ブロック１２を絶縁ブロック１１における嵌入孔１１２に挿入させると共に、弾性当接片１２１がワイヤ嵌入孔１１３へ突出され、更に、電気器具２０における金属導電性の接続端子２１が絶縁ブロック１１における端子挿入孔１１に挿入されると共に、接続端子２１と弾性当接片１２１によって金属導線３１を挟持することにより、電気器具２０がワイヤ３０と電気接続される。
【００１２】
又、図５に示すように、本発明の絶縁ブロック１１は、電気器具２０の絶縁カバー２３と一体に成形することもでき、嵌入ブロック１２を絶縁カバー２３と一体の絶縁ブロック１１に直接に挿入することにより、ワイヤ３０を固定して電気接続することができる。
【００１３】
【発明の効果】
本発明にかかる電気器具のワイヤ取付構造は、以上説明したように、嵌入ブロックを絶縁ブロックにおける嵌入孔に挿入すると共に、電気器具における接続端子を絶縁ブロックにおける端子挿入孔に挿入することにより、ワイヤの金属導線を嵌入ブロック及び金属導電性の接続端子によって挟持することができるので、作業時に、工具を使用せずに、ワイヤと電気器具とを簡単に電気接続することができ、且つ優れた固定効果を得ることができる。
【図面の簡単な説明】
【図１】本発明に係わる電気器具のワイヤ取付構造の分解斜視図である。
【図２】本発明に係わる電気器具のワイヤ取付構造の嵌入ブロックが電気器具に嵌入前の状態を示す一部断面図である。
【図３】本発明に係わる電気器具のワイヤ取付構造の嵌入ブロックが電気器具に嵌入後の状態を示す一部拡大断面図である。
【図４】本発明に係わる電気器具のワイヤ取付構造を二つの電気器具に使用する状態を示す一部拡大断面図である。
【図５】本発明に係わる電気器具のワイヤ取付構造の絶縁ブロックが電気器具と一体になる状態を示す一部拡大断面図である。
【図６】従来のワイヤを溶接によって電気器具の接続端子に固接する状態を示す参考図である。
【図７】従来のワイヤをねじによって電気器具の接続端子に固接する状態を示す参考図である。
【符号の説明】
１０        ワイヤ取付部材
１１        絶縁ブロック
１１１      端子挿入孔
１１２      嵌入孔
１１３      ワイヤ嵌入孔
１１４      当接縁
１２        嵌入ブロック
１２１      弾性当接片
１２２      長穴
１２３      当接凸部
２０        電気器具
２１        接続端子
２２        ねじ
２３        絶縁カバー
３０        ワイヤ
３１        金属導線
【図１】
2004164990.tif 000003
【図２】
2004164990.tif 000004
【図３】
2004164990.tif 000005
【図４】
2004164990.tif 000006
【図５】
2004164990.tif 000007
【図６】
2004164990.tif 000008
【図７】
2004164990.tif 000009